(57)【要約】  自然数ａ×自然数Ｍビットの映像信号以外の非映像信号を多値数２ａＭの多値信号に変換して出力する第１の多値信号発生器（１７Ａ）と、自然数ａ×自然数Ｎビットの上記映像信号を上記多値数２ａＭよりも大きい多値数２ａＮの多値信号に変換して出力する第２の多値信号発生器（１８）と、上記多値数２ａＭの多値信号をブランキング期間の少なくとも一部の期間に送信し、上記多値数２ａＮの多値信号をアクティブ期間に送信する送信ドライバ回路（１６）とを備える。
2014045502.tif 000002
【特許請求の範囲】
【請求項１】
自然数ａ×自然数Ｍビットの映像信号以外の非映像信号を多値数２ａＭの多値信号に変換して出力する第１の多値信号発生器と、
自然数ａ×自然数Ｎビットの上記映像信号を上記多値数２ａＭよりも大きい多値数２ａＮの多値信号に変換して出力する第２の多値信号発生器と、
上記多値数２ａＭの多値信号をブランキング期間の少なくとも一部の期間に送信し、上記多値数２ａＮの多値信号をアクティブ期間に送信する送信ドライバ回路とを備えた送信装置。
【請求項２】
映像フォーマットが変更されない映像伝送において、上記自然数ａ、Ｎ、Ｍが一定である請求項１記載の送信装置。
【請求項３】
ブランキング期間又はアクティブ期間のいずれかであることを示す制御信号を発生して出力する制御信号発生部をさらに備えた請求項１又は２記載の送信装置。
【請求項４】
上記送信装置は、上記制御信号に基づいて、上記ブランキング期間では上記非映像信号を多値数２ａＭの多値信号で送信し、上記アクティブ期間では上記映像信号を多値数２ａＮの多値信号で送信する請求項３記載の送信装置。
【請求項５】
上記制御信号発生部はさらに水平同期信号及び垂直同期信号を発生し、
上記送信装置は、上記水平同期信号及び上記垂直同期信号に基づいて、垂直ブランキング期間であるか、もしくは上記垂直ブランキング期間以外の期間であるかを示す切替信号を生成して出力する切替信号発生部を備え、
上記送信装置は、上記切替信号に基づいて、上記非映像信号を、上記垂直ブランキング期間では多値数２ａＭの多値信号で送信し、上記垂直ブランキング期間以外の期間では多値数２ａＮの多値信号で送信し、上記アクティブ期間では上記映像信号を多値数２ａＮの多値信号で送信する請求項３又は４記載の送信装置。
【請求項６】
上記ブランキング期間における送信信号の各電位レベルはそれぞれ、上記アクティブ期間における送信信号の各電位レベルを判別する各しきい値レベルと同一となるように設定される請求項１〜５のうちいずれか１つに記載の送信装置。
【請求項７】
上記送信信号の直流成分をカットするカップリングキャパシタをさらに備えた請求項１〜６のうちのいずれか１つに記載の送信装置。
【請求項８】
上記送信ドライバ回路は差動の送信ドライバ回路である請求項１〜７のうちのいずれか１つに記載の送信装置。
【請求項９】
自然数ａ×自然数Ｍビットの映像信号以外の非映像信号が多値数２ａＭの多値信号に変換されて送信された送信信号をブランキング期間に受信し、自然数ａ×自然数Ｎビットの上記映像信号が上記多値数２ａＭよりも大きい多値数２ａＮの多値信号に変換されて送信された送信信号をアクティブ期間に受信し、受信した信号を受信信号として出力する多値レシーバ回路と、
上記受信信号の電位レベルから、上記受信信号が上記多値数２ａＭの多値信号であるか上記多値数２ａＮの多値信号であるかを判定し、判定結果を示す制御信号を発生する多値信号検出器と、
上記受信信号の電位レベルと上記制御信号とに基づいて、上記多値数２ａＭの多値信号と上記多値数２ａＮの多値信号とをそれぞれ、ａ×Ｍビットの上記非映像信号とａ×Ｎビットの上記映像信号に復調して出力するロジック回路とを備えた受信装置。
【請求項１０】
映像フォーマットが変更されない映像伝送において、上記自然数ａ、Ｎ、Ｍが一定である請求項９記載の受信装置。
【請求項１１】
上記ロジック回路は、上記制御信号に基づいて、上記ブランキング期間では、上記受信信号のうち多値数２ａＭの多値信号をａ×Ｍビットの非映像信号に復調し、上記アクティブ期間では上記受信信号のうち多値数２ａＮの多値信号をａ×Ｎビットの映像信号に復調する請求項９又は１０記載の受信装置。
【請求項１２】
上記受信信号の電位レベルに基づいて、水平同期信号の信号パターン及び垂直同期信号の信号パターンを含むか否かを判断することにより、上記水平同期信号又は上記垂直同期信号を検出して上記ロジック回路に出力する同期信号検出器をさらに備え、
上記ロジック回路は、上記水平同期信号及び上記垂直同期信号に基づいて、垂直ブランキング期間であるか、もしくは上記垂直ブランキング期間以外の期間であるかを判断し、当該判断結果に応じて、上記受信信号のうち、上記垂直ブランキング期間では多値数２ａＭの多値信号をａ×Ｍビットの前記非映像信号に復調し、上記垂直ブランキング期間以外の期間では多値数２ａＮの多値信号をａ×Ｎビットの前記映像信号に復調することを特徴とする請求項９又は１０記載の受信装置。
【請求項１３】
上記受信信号の直流成分をカットするカップリングキャパシタをさらに備えたことを特徴とする請求項９〜１２のうちのいずれか１つに記載の受信装置。
【請求項１４】
上記多値レシーバ回路は差動の多値レシーバ回路である請求項９〜１３のうちのいずれか１つに記載の受信装置。
【請求項１５】
請求項１記載の受信装置と請求項９記載の送信装置を備えた伝送システム。
【発明の詳細な説明】
【技術分野】
【０００１】
本開示は、送信装置、受信装置及び伝送システムに関し、特に高解像度の映像信号を伝送する場合において、映像信号を含むアクティブ期間に対して振幅方向の多値伝送を行うことによって、伝送レートを高速化する技術に関する。
【背景技術】
【０００２】
近年、映像の高画質化にともない、映像信号の高ビット化、高精細化が進んでおり、デジタルインターフェースで伝送されるデータ量も増大している。大量のデータを伝送するために、周波数の高速化が進展しているが、高周波化の影響で伝送線路の減衰などで信号伝送が困難となってきている。この問題を回避するために、周波数の高速化は行わず、映像信号の圧縮手法や、電圧方向にデータを多重化する多値信号伝送方式が知られている。【０００３】
また、従来の電圧方向にデータを多重化する手法として、特許文献１に示すような多値伝送方式が挙げられる。これにより、誤り率に応じて多値数を変化させビット誤りを抑制し、多値伝送の誤り率が低減される。
【先行技術文献】
【特許文献】
【０００４】
【特許文献１】米国特許第７，３０８，０５８号明細書
【発明の概要】
【発明が解決しようとする課題】
【０００５】
しかしながら、上述した従来の多値伝送方式では、誤り率によって伝送速度が変動し、映像フレームを定常的に伝送することはできず、かつ、高速の伝送速度が不要であるブランキング期間においても多値信号を伝送することにより伝送システムの消費電力が大きくなるという課題があった。【０００６】
本開示の目的は以上の課題を解決し、ブランキング期間での伝送システムの消費電力や送受信装置の発熱を抑制しつつ、定常的に映像のフレームレートを維持して伝送できる送信装置、受信装置及び伝送システムを提供することにある。
【課題を解決するための手段】
【０００７】
第１の開示に係る送信装置は、自然数ａ×自然数Ｍビットの映像信号以外の非映像信号を多値数２ａＭの多値信号に変換して出力する第１の多値信号発生器と、自然数ａ×自然数Ｎビットの上記映像信号を上記多値数２ａＭよりも大きい多値数２ａＮの多値信号に変換して出力する第２の多値信号発生器と、上記多値数２ａＭの多値信号をブランキング期間の少なくとも一部の期間に送信し、上記多値数２ａＮの多値信号をアクティブ期間に送信する送信ドライバ回路とを備える。【０００８】
第２の開示に係る受信装置は、自然数ａ×自然数Ｍビットの映像信号以外の非映像信号が多値数２ａＭの多値信号に変換されて送信された送信信号をブランキング期間に受信し、自然数ａ×自然数Ｎビットの上記映像信号が上記多値数２ａＭよりも大きい多値数２ａＮの多値信号に変換されて送信された送信信号をアクティブ期間に受信し、受信した信号を受信信号として出力する多値レシーバ回路と、上記受信信号の電位レベルから、上記受信信号が上記多値数２ａＭの多値信号であるか上記多値数２ａＮの多値信号であるかを判定し、判定結果を示す制御信号を発生する多値信号検出器と、上記受信信号の電位レベルと上記制御信号とに基づいて、上記多値数２ａＭの多値信号と上記多値数２ａＮの多値信号とをそれぞれ、ａ×Ｍビットの上記非映像信号とａ×Ｎビットの上記映像信号に復調して出力するロジック回路とを備える。【０００９】
第３の開示に係る伝送システムは、上記送信装置及び上記受信装置を備える。
【発明の効果】
【００１０】
本開示に係る送信装置、受信装置、伝送システムによれば、アクティブ期間では送信信号の多値数を大きくして基本周波数をそのままに多値信号で伝送する一方で、ブランキング期間ではアクティブ期間での多値数よりも小さい多値数の多値信号で伝送するので、伝送システムの低消費電力化及び送受信装置の発熱の抑制を可能としつつ、定常的に映像のフレームレートを維持して伝送できる。
【図面の簡単な説明】
【００１１】
【図１Ａ】本開示の第１の実施形態に係る伝送データ伝送時のフレームフォーマットを示す図である。
【図１Ｂ】図１Ａのブランキング期間の２値の送信信号を示す波形図である。
【図１Ｃ】図１Ａのアクティブ期間の４値の送信信号を示す波形図である。
【図２Ａ】本開示の第１の実施形態に係る多値振幅変調方式を用いた伝送システムの送信装置１の構成を示すブロック図である。
【図２Ｂ】本開示の第１の実施形態に係る伝送システムの２値信号に変換された非映像信号と４値信号に変換された映像信号との伝送波形図である。
【図２Ｃ】本開示の第１の実施形態に係る多値振幅変調方式を用いた伝送システムの受信装置３の構成を示すブロック図である。
【図２Ｄ】図２Ｃのロジック回路３５の入力信号と出力信号との関係を示す表である。
【図２Ｅ】本開示の第１の実施形態の変形例に係る多値振幅変調方式を用いた伝送システムの受信装置３Ｄの構成を示すブロック図である。
【図３Ａ】本開示の第２の実施形態に係る多値振幅変調方式を用いた伝送システムの送信装置１Ａの構成を示すブロック図である。
【図３Ｂ】本開示の第２の実施形態に係る多値振幅変調方式を用いた伝送システムの受信装置３Ａの構成を示すブロック図である。
【図３Ｃ】本開示の第２の実施形態の変形例に係る多値振幅変調方式を用いた伝送システムの受信装置３Ｅの構成を示すブロック図である。
【図４】本開示の第３の実施形態に係る伝送データのフレームフォーマットを示す図である。
【図５Ａ】本開示の第３の実施形態に係る多値振幅変調方式を用いた伝送システムの送信装置１Ｂの構成を示すブロック図である。
【図５Ｂ】本開示の第３の実施形態に係る多値振幅変調方式を用いた伝送システムの受信装置３Ｂの構成を示すブロック図である。
【図６Ａ】本開示の第４の実施形態に係る多値振幅変調方式を用いた伝送システムの送信装置１Ｃの構成を示すブロック図である。
【図６Ｂ】本開示の第４の実施形態に係る多値振幅変調方式を用いた伝送システムの受信装置３Ｃの構成を示すブロック図である。
【図７】本開示の変形例に係る伝送システムの４値変換された非映像信号及び８値変換された映像信号の送信信号の伝送波形図である。
【発明を実施するための形態】
【００１２】
本発明者らは、誤り率によって伝送速度が変動する技術では、１フレームと同時にもう１フレームを定常的に送信することはできず、かつ、高速の伝送速度が不要であるブランキング期間においても多値信号を伝送することにより伝送システムの消費電力が大きくなる課題を解決すべく、鋭意研究を行った。この結果、ブランキング期間での伝送システムの消費電力や送受信装置の発熱を抑制しつつ、定常的に映像のフレームレートを維持して伝送でき、かつ、受信信号の電位レベルのみから制御信号を判定することが可能な送信装置、受信装置及び伝送システムを見出した。さらに、本発明者らは、多値信号の電位レベルの変動に対して的確に追従し、多値信号の電位レベルを高精度判定でき、高解像度及び高いフレームレートの映像信号伝送を行うことが可能な送信装置、受信装置及び伝送システムを見出した。
【００１３】
以下、本開示に係る実施形態について図面を参照して説明する。なお、以下の各実施形態において、同様の構成要素については同一の符号を付して説明を省略する。
【００１４】
第１の実施形態．
図１Ａは、本開示の第１の実施形態に係るデータ伝送時のフレームフォーマットを示す図である。図１Ａにおいて、ＨＳＹＮＣは水平同期信号を表し、ＶＳＹＮＣは垂直同期信号を表す。また、Ｖｂｌａｎｋは垂直ブランキング期間を表し、Ｈｂｌａｎｋは水平ブランキング期間を表す。ＶｂｌａｎｋまたはＨｂｌａｎｋの期間は非映像データを伝送するブランキング期間である。非映像データは、例えば、音声データおよび／または制御データである。さらに、Ｖａｃｔｉｖｅは上記垂直ブランキング期間以外の期間を表し、Ｈａｃｔｉｖｅは上記水平ブランキング期間以外の期間を表す。ＶａｃｔｉｖｅかつＨａｃｔｉｖｅの期間は映像データを伝送するアクティブ期間である。
【００１５】
図１Ｂは、図１Ａのブランキング期間の２値の送信信号１０１（図１Ａ）を示す波形図であり、図１Ｃは図１Ａのアクティブ期間の４値の送信信号１０２（図１Ａ）を示す波形図である。
【００１６】
図１Ａにおいて、フレームフォーマットにおけるデータ伝送時の動作を説明する。フレームフォーマットでは映像データのみを含むアクティブ期間１００と、映像データ以外の音声データ等のデータを含むブランキング期間との２つの期間が存在する。映像データが常に送信されるアクティブ期間に伝送されるデータ量は、ブランキング期間に伝送されるデータ量よりも多い。また、図１Ｂ及び図１Ｃに示すように、ブランキング期間では音声信号等を含む非映像データを振幅方向に２値に変換してなる２値信号を伝送し、アクティブ期間１００では映像信号を振幅方向に４値に変換してなる４値信号を伝送することにより、基本周波数をそのままにして伝送線路２において多値信号を用いて伝送を行う。
【００１７】
図２Ａは、本開示の第１の実施形態に係る多値振幅変調方式を用いた伝送システムの送信装置１の構成を示すブロック図である。図２Ａにおいて、送信装置１は、非映像信号発生部１１と、映像信号発生部１２と、制御信号発生部１４と、セレクタ１３と、２値信号発生器１７と、多値信号発生器１８と、加算器１５と、送信ドライバ回路１６とを備えて構成される。
【００１８】
図２Ａにおいて、非映像信号発生部１１は、１ビットの映像信号を含まない信号（音声信号等を含む補助信号）を発生してセレクタ１３に出力する。映像信号発生部１２は、複数Ｎビットのパラレルデータである映像信号を発生して多値信号発生器１８に出力する。制御信号発生部１４は、入力される映像信号に基づいて、ブランキング期間とアクティブ期間とのいずれかであることを示す制御信号ＤＥを発生し、当該制御信号をセレクタ１３に出力する。ここで、制御信号発生部１４は、ブランキング期間であるときは「０」の制御信号ＤＥを発生してセレクタ１３に出力し、アクティブ期間であるときは「１」の制御信号ＤＥを発生してセレクタ１３に出力する。
【００１９】
セレクタ１３は、制御信号発生部１４から入力された制御信号ＤＥに基づいて、非映像信号発生部１１から入力された非映像信号と「０」を示す「０」信号とのいずれかを選択して選択された信号を２値信号発生器１７に出力する。ここで、セレクタ１３は、「１」の制御信号ＤＥの場合には「０」信号を２値信号発生器１７に出力し、「０」の制御信号ＤＥの場合には非映像信号を２値信号発生器１７に出力する。次いで、２値信号発生器１７は、セレクタ１３から入力された１ビットの非映像信号を２値信号に変換して加算器１５に出力する。ここで、２値信号は、＋１．０Ｖと−１．０Ｖとのいずれかの電位レベルを有する。また、多値信号発生器１８は例えばＮ＝２の場合であって、映像信号発生部１２から入力された映像信号を、４値信号に変換して加算器１５に出力する。ここで、４値信号は＋１．５Ｖ、＋０．５Ｖ、−０．５Ｖ及び−１．５Ｖのいずれかの電位レベルを有する。さらに、加算器１５は、２値信号発生器１７から入力された２値信号と多値信号発生器１８から入力された４値信号とを加算して、加算結果の信号を、送信ドライバ回路１６に出力する。送信ドライバ回路１６は、加算結果の信号を、加算結果の信号の振幅レベルを変化することなく緩衝増幅して送信信号として伝送線路２に出力する。
【００２０】
図２Ｂは、本開示の第１の実施形態に係る伝送システムの２値信号に変換された非映像信号と４値信号に変換された映像信号との伝送波形図である。ここで、送信装置１は、ブランキング期間では、送信信号の電位レベルが＋１．０Ｖ又は−１．０Ｖである２値信号１０３を送信し、アクティブ期間では、送信信号の電位レベルが＋１．５Ｖ、＋０．５Ｖ、−０．５Ｖ、又は−１．５Ｖである４値信号１０４を送信する。ここで、２値信号１０３の電位レベル＋１．０Ｖ及び−１．０Ｖは、２値信号発生器１７において、４値信号１０４の０Ｖのしきい値レベルＶ２以外のしきい値レベルＶ１及びＶ３と同一となるように設定され、これらのしきい値レベルＶ１，Ｖ２，Ｖ３を用いて４値信号１０４の電位レベルの判別を行う。
【００２１】
図２Ｃは、本開示の第１の実施形態に係る多値振幅変調方式を用いた伝送システムの受信装置３の構成を示すブロック図である。図２Ｃにおいて、受信装置３は、多値レシーバ回路３１と、比較回路３２と、バッファメモリ回路３３と、多値信号検出器３４と、ロジック回路３５と、制御信号受信部３６と、映像信号受信部３７と、非映像信号受信部３８とを備えて構成される。さらに、比較回路３２は、第１のしきい値レベルＶ１＝＋１．０Ｖを有する比較器３２−１と、第２のしきい値レベルＶ２＝０Ｖを有する比較器３２−２と、第３のしきい値レベルＶ３＝−１．０Ｖを有する比較器３２−３とを備えて構成され、バッファメモリ回路３３は、各比較器３２−１、３２−２、３２−３に対応して接続されるバッファメモリ３３−１、３３−２、３３−３とを備えて構成される。
【００２２】
図２Ｃにおいて、多値レシーバ回路３１は、伝送線路２から送信信号を受信しかつ送信信号の振幅レベルを変化することなく緩衝増幅して受信信号として各比較器３２−１、３２−２、３２−３に出力する。各比較器３２−１、３２−２、３２−３は、多値レシーバ回路３１からの受信信号を入力し、受信信号の電位レベルを各比較器３２−１、３２−２、３２−３のしきい値レベル＋１．０Ｖ、０Ｖ、−Ｖと比較し、各比較結果の信号をバッファメモリ３３−１、３３−２、３３−３に出力する。各バッファメモリ３３−１、３３−２、３３−３は、比較器３２−１、３２−２、３２−３から入力された各比較結果の信号を一時的に保存して、各比較結果の信号をロジック回路３５に出力する。また、各バッファメモリ３３−１、３３−２、３３−３は、各比較器３２−１、３２−２、３２−３から入力された比較結果の信号のうちバッファメモリ３３−１、３３−３に保存された信号のみを多値信号検出器３４に出力する。
【００２３】
多値信号検出器３４は、バッファメモリ３３−１、３３−３から例えば１水平期間などの所定の期間だけ当該バッファメモリ３３−１、３３−３に保存された信号を入力し、受信信号の電位レベルから２値信号であるか４値信号であるかを判定して、判定結果を示す制御信号ＤＥを発生し、当該制御信号ＤＥをロジック回路３５及び制御信号受信部３６に出力する。ここで、伝送線路２での伝送損失を考慮して、２値信号の電位レベルが＋１．０Ｖから若干低下して例えば＋０．９Ｖなどの（１．０−α）Ｖ（ここで、例えば０＜α＜０．２）となり、２値信号の電位レベルが−１．０Ｖの絶対値から若干低下して例えば−０．９Ｖなどの（−１．０＋α）Ｖ（ここで、例えば０＜α＜０．２）となると仮定し、多値信号検出器３４は、例えば１水平期間などの所定の期間において、バッファメモリ３３−１からの信号が「１」及びバッファメモリ３３−３からの信号が「０」である受信信号が存在する場合には、受信信号が４値信号であると判定して「１」の制御信号ＤＥを出力する一方、それ以外の場合には、受信信号が２値信号であると判定して「０」の制御信号ＤＥを出力する。
【００２４】
ロジック回路３５は、多値信号検出器３４からの制御信号ＤＥに基づいて、バッファメモリ回路３３に一時的に保存された比較回路３２からの比較結果の信号から、ブランキング期間では受信信号のうち２値信号を１ビットの非映像信号に復調し、アクティブ期間では受信信号のうち４値信号を２ビットの映像信号に復調し、当該復調された１ビットの非映像信号及び復調された２ビットの映像信号を、映像信号受信部３７及び非映像信号受信部３８に出力する。
【００２５】
図２Ｄは、図２Ｃのロジック回路３５の入力信号と出力信号との関係を示す表である。
ここで、多値信号検出器３４から「１」の制御信号ＤＥが入力された場合には、ロジック回路３５によってＮビット（本実施形態では，Ｎ＝２）の映像信号に復調されて映像信号受信部３７に出力される。詳細には、図２Ｄに示すように、比較器３２−１、３２−２、３２−３から出力された出力信号がすべて「０」の場合には「００」の映像信号に復調され、比較器３２−１、３２−２から出力された出力信号がすべて「０」でかつ比較器３２−３から出力された出力信号が「１」の場合には「０１」の映像信号に復調される。また、比較器３２−１から出力された出力信号が「０」でかつ比較器３２−２、３２−３から出力された出力信号が「１」の場合には「１０」の映像信号に復調され、比較器３２−１、３２−２、３２−３から出力された出力信号がすべて「１」の場合には「１１」の映像信号に復調される。
【００２６】
また、多値信号検出器３４から「０」の制御信号ＤＥが入力された場合には、ロジック回路３５によって１ビットの非映像信号に復調されて非映像信号受信部３８に出力される。詳細には、図２Ｄに示すように、比較器３２−２から出力された出力信号が「０」のときは「０」の非映像信号に復調され、比較器３２−２から出力された出力信号が「１」のときは「１」の非映像信号に復調される。
【００２７】
以上のように構成された、送信装置１、伝送線路２及び受信装置３を備えた伝送システムの作用効果について以下に説明する。
【００２８】
本実施形態に係る伝送システムは、ブランキング期間とアクティブ期間とにおいて、送信信号の多値数を制御信号ＤＥに基づき選択的に切り替えることを特徴としている。具体的には、送信装置１において、ブランキング期間では非映像信号を２値信号に変換して送信し、アクティブ期間では映像信号を４値信号に変換して送信する一方で、受信装置３では、受信信号の電位レベルから制御信号ＤＥを判定し、制御信号ＤＥ及び受信信号の電位レベルに基づいて、２ビットの映像信号及び１ビットの非映像信号に復調する。
【００２９】
以上の実施形態に係る伝送システムによれば、アクティブ期間では４値信号を送信して基本周波数をそのままにして多値信号を用いて伝送できるとともに、ブランキング期間では２値信号を送信するので、従来の伝送システムに比較して、伝送システムの低消費電力化、送受信装置の発熱の抑制が可能となる。さらに、アクティブ期間とブランキング期間との判定を送信信号の多値数のみで判定することができるので、従来の伝送システムに比較して、復調回路を削減することが可能となる。加えて、一度に複数ａ枚のフレームの非映像信号及び映像信号を重畳して基本周波数をそのままに定常的に伝送することが可能となる。
【００３０】
また、本実施形態に係る伝送システムによれば、送信装置１がブランキング期間の送信信号の電位レベルをアクティブ期間の送信信号の電位レベルを判別するしきい値レベルと同一となるように設定したので、送受信装置間での電圧レベル、基準電圧の違い、温度変化、伝送線路における損失などが原因で変動する多値信号の電位レベルに対して的確に追従し、多値信号の電位レベルを高精度に判定することができるので、アクティブ期間での多値信号のデータ受信を正確に行うことが可能となる。
【００３１】
図２Ｅは、本開示の第１の実施形態の変形例に係る多値振幅変調方式を用いた伝送システムの受信装置３Ｄの構成を示すブロック図である。図２Ｅに示す受信装置３Ｄは、図２Ｃに示す受信装置３に比較して、多値信号検出器３４の代わりに電圧検出及び制御装置３９を備え、さらに、電圧源に直列に接続された可変抵抗ＶＲ１及びＶＲ３を備えたことを特徴とする。
【００３２】
図２Ｅにおいて、電圧検出及び制御装置３９は、多値レシーバ回路３１からの受信信号を受信して、受信信号の電位レベルから２値信号であるか４値信号であるかを判定して、当該判定結果を示す制御信号ＤＥを発生してロジック回路３５及び制御信号受信部３６に出力する。また、電圧検出及び制御装置３９は、多値レシーバ回路３１から２値信号を受信するとき、２値信号の電位レベルから、例えば伝送線路２での伝送損失を考慮して、＋１．０Ｖから若干低下した値を有する第１の検出電圧と、−１．０Ｖの絶対値から若干低下した値を有する第２の検出電圧とを検出する。さらに、電圧検出及び制御装置３９は、多値レシーバ回路３１から４値信号を検出するとき、第１の検出電圧を示すしきい値レベル設定信号ＲＳを発生させて可変抵抗ＶＲ１の抵抗値を変化させることによって、比較器３２−１の反転入力端子に印加される電圧を第１の検出電圧と同一電圧となるように設定する一方で、第２の検出電圧を示すしきい値レベル設定信号ＲＳを発生させて可変抵抗ＶＲ３の抵抗値を変化させることによって、比較器３２−３の反転入力端子に印加される電圧を第２の検出電圧と同一電圧となるように設定する。
【００３３】
以上のように構成された、送信装置１、伝送線路２及び受信装置３Ｄを備えた伝送システムの作用効果については第１の実施形態に係る伝送システムと同様である。
【００３４】
第２の実施形態．
図３Ａは、本開示の第２の実施形態に係る多値振幅変調方式を用いた伝送システムの送信装置１Ａの構成を示すブロック図である。図３Ａに示す第２の実施形態に係る送信装置１Ａは、図２Ａに示す第１の実施形態に係る送信装置１に比較して、以下のことが異なる。
（１）非映像信号発生部１１は、図２Ａにおいて１ビットの非映像信号を発生していたが、図３Ａにおいては、ａ×１ビットの非映像信号を発生する。ここで、ａは複数であって、以下同様である。ただし、ａが１の場合が上述した第１の実施形態である。
（２）映像信号発生部１２は、図２Ａにおいて複数Ｎビットの映像信号を発生していたが、図３Ａにおいては、ａ×Ｎビットの映像信号を発生する。
（３）図２Ａの２値信号発生器１７の代わりに、図３Ａの多値信号発生器１７Ａを備える。
従って、第２の実施形態に係る送信装置１Ａは、一度に複数ａ枚のフレームの非映像信号及び映像信号を重畳して送信することを特徴としている。
【００３５】
図３Ａにおいて、多値信号発生器１７Ａは、セレクタ１３から入力されたａ×１ビットの非映像信号を、多値数２ａの多値信号に変換し、当該多値数２ａの多値信号を加算器１５に出力する。また、多値信号発生器１８は、映像信号発生部１２から入力されたａ×Ｎビットの映像信号を、多値数２ａＮの多値信号に変換し、当該多値数２ａＮの多値信号を加算器１５に出力する。その他の構成は第１の実施形態と同様である。
【００３６】
図３Ｂは、本開示の第２の実施形態に係る多値振幅変調方式を用いた伝送システムの受信装置３Ａの構成を示すブロック図である。図３Ｂに示す第２の実施形態に係る受信装置３Ａは、図２Ｃに示す第１の実施形態に係る受信装置３Ａに比較して、以下の点が異なる。
（１）図２Ｃの比較回路３２の代わりに、図３Ｂの比較回路３２Ａを備える。ここで、比較回路３２Ａは、第１のしきい値レベルを有する比較器３２−１、…、第（２ａＮ−１）のしきい値レベルを有する比較器３２−（２ａＮ−１）、…、及び第（２ａＮ−１）のしきい値レベルを有する比較器３２−（２ａＮ−１）を含む（２ａＮ−１）個の比較器を備えて構成される。なお、中間位置の比較器３２−（２ａＮ−１）の第（２ａＮ−１）のしきい値レベルは０Ｖに設定される。
（２）図２Ｃのバッファメモリ回路３３の代わりに、図３Ｂのバッファメモリ回路３３Ａを備える。ここで、バッファメモリ回路３３Ａは、各比較器３２−１、…、３２−（２ａＮ−１）、…、及び３２−（２ａＮ−１）にそれぞれ対応して接続される、バッファメモリ３３−１、…、３３−（２ａＮ−１）、…、３３−（２ａＮ−１）を含む（２ａＮ−１）個のバッファメモリを備えて構成される。
（３）図２Ｃの多値信号検出器３４の代わりに、図３Ｂの多値信号検出器３４Ａを備える。
（４）図２Ｃのロジック回路３５の代わりに、図３Ｂのロジック回路３５Ａを備える。
【００３７】
図３Ｂにおいて、多値レシーバ回路３１は、伝送線路２から送信信号を受信しかつ送信信号の振幅レベルを変化することなく緩衝増幅して受信信号として各比較器３２−１、…、３２−（２ａＮ−１）、…、３２−（２ａＮ−１）に出力する。各比較器３２−１、…、３２−（２ａＮ−１）、…、３２−（２ａＮ−１）は、多値レシーバ回路３１から受信信号を入力し、受信信号の電位レベルを各比較器３２−１、…、３２−（２ａＮ−１）、…、３２−（２ａＮ−１）のしきい値レベルと比較し、各比較結果の信号をバッファメモリ３３−１、…、３３−（２ａＮ−１）、…、３３−（２ａＮ−１）に出力する。各バッファメモリ３３−１、…、３３−（２ａＮ−１）、…、３３−（２ａＮ−１）は、比較器３２−１、…、３２−（２ａＮ−１）、…、３２−（２ａＮ−１）から入力された各比較結果の信号を一時的に保存して、各比較結果の信号をロジック回路３５Ａに出力する。また、各バッファメモリ３３−１、…、３３−（２ａＮ−１）、…、３３−（２ａＮ−１）は、各比較器３２−１、…、３２−（２ａＮ−１）、…、３２−（２ａＮ−１）から入力された比較結果の信号のうちバッファメモリ３３−１、３３−（２ａＮ−１）に保存された信号のみを多値信号検出器３４Ａに出力する。
【００３８】
多値信号検出器３４Ａは、バッファメモリ３３−１、３３−（２ａＮ−１）から例えば１水平期間などの所定の期間だけ当該バッファメモリ３３−１、３３−（２ａＮ−１）に保存された信号を入力し、受信信号の電位レベルから多値数２ａの多値信号であるか、多値数２ａＮの多値信号であるかを判定して、判定結果を示す制御信号ＤＥを発生してロジック回路３５Ａ及び制御信号受信部３６に出力する。ここで、伝送線路２での伝送損失を考慮して、多値数２ａの多値信号の電位レベルのうち、その最大の電位レベルから若干低下し、また、その最小の電位レベルの絶対値から若干低下すると仮定して、多値信号検出器３４Ａは、例えば１水平期間などの所定の期間において、バッファメモリ３３−１からの信号が「１」及びバッファメモリ３３−（２ａＮ−１）からの信号が「０」である受信信号が存在する場合には、受信信号が多値数２ａＮの多値信号であると判定して「１」の制御信号ＤＥを出力する一方、それ以外の場合には、受信信号が多値数２ａの多値信号であると判定して「０」の制御信号ＤＥを出力する。
【００３９】
ロジック回路３５Ａは、多値信号検出器３４Ａから入力された制御信号ＤＥに基づいて、バッファメモリ回路３３Ａに一時的に保存された比較回路３２Ａからの比較結果の信号から、ブランキング期間では受信信号のうち多値数２ａの多値信号をａ×１ビットの非映像信号に復調し、アクティブ期間では受信信号のうち２ａＮの多値信号をａ×Ｎビットの映像信号に復調し、当該復調されたａ×１ビットの非映像信号及び復調されたａ×Ｎビットの映像信号を、映像信号受信部３７及び非映像信号受信部３８に出力する。
【００４０】
以上のように構成された、送信装置１Ａ、伝送線路２及び受信装置３Ａを備えた伝送システムの作用効果について以下に説明する。
【００４１】
本実施形態に係る伝送システムでは、複数ａ枚のフレームの映像信号および非映像信号を同時に伝送するために、送信装置１Ａにおいて、ブランキング期間では非映像信号を多値数２ａの多値信号に変換して送信し、アクティブ期間では映像信号を多値数２ａＮの多値信号に変換して送信する一方で、受信装置３Ａでは、受信信号の電位レベルから制御信号ＤＥを判定し、制御信号ＤＥ及び受信信号の電位レベルに基づいて、ａ×Ｎビットの映像信号及びａ×１ビットの非映像信号に復調する。その他の作用効果は第１の実施形態と同様である。
【００４２】
以上の実施形態に係る伝送システムによれば、アクティブ期間では多値数２ａＮの多値信号を送信して基本周波数をそのままに大きい多値信号を用いて伝送できるとともに、ブランキング期間では多値数２ａの多値信号を送信するので、従来の伝送システムに比較して、伝送システムの低消費電力化、送受信装置の発熱の抑制が可能となる。さらに、アクティブ期間とブランキング期間との判定を送信信号の多値数のみで判定することができるので、従来の伝送システムに比較して、復調回路を削減することが可能となる。
【００４３】
また、本実施形態に係る伝送システムによれば、ａ枚のフレームの映像信号及び非映像信号を重畳してビット単位でのデータ処理が可能となるので、図１のフレームフォーマットをそのままにして、一度に複数のフレームの映像信号及び非映像信号を同時に送受信することが可能となる。また、ＦｕｌｌＨＤ伝送時において、多値数２４Ｎの多値信号を用いて送信信号を送信すれば、同じフレームフォーマットでかつ同じ伝送レートで４Ｋ２Ｋの伝送が可能となる。
【００４４】
図３Ｃは、本開示の第２の実施形態の変形例に係る多値振幅変調方式を用いた伝送システムの受信装置３Ｅの構成を示すブロック図である。図３Ｃに示す受信装置３Ｅは、図３Ｂに示す受信装置３Ａに比較して、多値信号検出器３４Ａの代わりに電圧検出及び制御装置３９Ａを備え、さらに、それぞれ電圧源に直列に接続された可変抵抗ＶＲ１、…、ＶＲ（２ａＮ−１）を備えたことを特徴とする。
【００４５】
図３Ｃにおいて、電圧検出及び制御装置３９Ａは、多値レシーバ回路３１からの受信信号を受信して、受信信号の電位レベルから多値数２ａの多値信号であるか多値数２ａＮの多値信号であるかを判定して、判定結果を示す制御信号ＤＥを発生してロジック回路３５Ａ及び制御信号受信部３６に出力する。また、電圧検出及び制御装置３９Ａは、多値レシーバ回路３１から多値数２ａの多値信号を受信するとき、受信信号の電位レベルから、第１の検出電圧、第２の検出電圧、…、第２ａの検出電圧を検出する。さらに、電圧検出及び制御装置３９Ａは、多値レシーバ回路３１から多値数２ａＮの多値信号を検出するとき、第１の検出電圧、第２の検出電圧、…、第２ａの検出電圧のそれぞれ示すしきい値レベル設定信号ＲＳを発生させて、当該第１の検出電圧、第２の検出電圧、…、第２ａの検出電圧に対応する可変抵抗ＶＲ１、…、ＶＲ（２ａＮ−１）を変化させることによって、各比較器３２−１、…、３２−（２ａＮ−１）の反転入力端子に印加される電圧を第１の検出電圧、第２の検出電圧、…、第２ａの検出電圧となるようにそれぞれ設定する。
【００４６】
以上のように構成された、送信装置１Ａ、伝送線路２及び受信装置３Ｅを備えた伝送システムの作用効果については第２の実施形態に係る伝送システムと同様である。
【００４７】
第３の実施形態．
図４は、本開示の第３の実施形態に係る伝送データのフレームフォーマットを示す図である。図４において、ブランキング期間の一部である垂直ブランキング期間３００ｂでは多値数の小さい送信信号を送信し、垂直ブランキング期間３００ｂ以外の期間３００ａでは、垂直ブランキング期間３００ｂにおける多値数よりも大きい多値数の送信信号で伝送を行うことを特徴としている。
【００４８】
図５Ａは、本開示の第３の実施形態に係る多値振幅変調方式を用いた伝送システムの送信装置１Ｂの構成を示すブロック図である。図５Ａに示す送信装置１Ｂは、図３Ａに示す第３の実施形態に係る送信装置１Ａに比較して、以下の点が異なる。
（１）制御信号発生部１４の代わりに、図５Ａの制御信号発生部４０を備える。
（２）切替信号発生部４１、図５Ａのカップリングキャパシタ４２及びスイッチング回路５０をさらに備える。ここで、スイッチング回路５０は、スイッチＳＷ１とスイッチＳＷ２とを備えて構成される。また、カップリングキャパシタ４２は、送信ドライバ回路１６と伝送線路２との間に直流成分をカットするために設けられる。
【００４９】
図５Ａにおいて、制御信号発生部４０は、水平同期信号ＨＳＹＮＣ、垂直同期信号ＶＳＹＮＣ及び制御信号ＤＥを発生して切替信号発生部４１に出力する。切替信号発生部４１は、水平同期信号ＨＳＹＮＣ、垂直同期信号ＶＳＹＮＣ及び制御信号ＤＥに基づいて、クロックを計数することにより垂直ブランキング期間３００ｂであるか、それ以外の期間３００ａであるかを判断するためのカウンタ（図示せず）を有する。ここで、切替信号発生部４１は、非映像信号の送信信号を、
（Ａ）垂直ブランキング期間３００ｂにおいて、多値数２ａの多値信号で送信するか、もしくは
（Ｂ）垂直ブランキング期間３００ｂ以外の期間３００ａにおいて、多値数２ａＮの多値信号で送信するかを
期間指定するともに、
（Ｃ）上記期間３００ａにおいて、映像信号の送信信号を、多値数２ａＮの多値信号で送信するかを
期間指定する切替信号ＣＤを発生してスイッチング回路５０のスイッチＳＷ１及びスイッチＳＷ２に出力する。
【００５０】
垂直ブランキング期間３００ｂにおいて、非映像信号を多値数２ａの多値信号で送信するときは、切替信号ＣＤに基づいて、スイッチＳＷ１が接点ａに切り替えられかつスイッチＳＷ２が接点ｄに切り替えられる。一方、垂直ブランキング期間３００ｂ以外の期間３００ａにおいて、非映像信号を多値数２ａＮの多値信号で送信するときは、切替信号ＣＤに基づいて、スイッチＳＷ１が接点ｂに切り替えられかつスイッチＳＷ２が接点ｃに切り替えられる。さらに、上記期間３００ａにおいて、映像信号を多値数２ａＮの多値信号で送信するときは、切替信号ＣＤに基づいて、スイッチＳＷ２が接点ｄに切り替えられる。
【００５１】
図５Ｂは、本開示の第３の実施形態に係る多値振幅変調方式を用いた伝送システムの受信装置３Ｂの構成を示すブロック図である。図５Ｂに示す受信装置３Ｂは、図３Ｂに示す受信装置３Ａに比較して、以下の点が異なる。
（１）伝送線路２と多値レシーバ回路３１との間に直流成分をカットするためのカップリングキャパシタ４５をさらに備える。
（２）同期信号検出器４３をさらに備える。
（３）ロジック回路３５Ａに代えて、図５Ｂのロジック回路３５Ｂを備える。
（４）制御信号受信部３６に代えて、図５Ｂの制御信号受信部４４を備える。
【００５２】
図５Ｂにおいて、同期信号検出器４３は、各バッファメモリ３３−１、…、３３−（２ａＮ−１）、…、３３−（２ａＮ−１）に一時的に保存された比較回路３２Ａから出力された出力信号に基づいて、水平同期信号ＨＳＹＮＣの信号パターン、垂直同期信号ＶＳＹＮＣの信号パターンを含むか否かを判断することにより、水平同期信号ＨＳＹＮＣ又は垂直同期信号ＶＳＹＮＣを検出し、当該検出された水平同期信号ＨＳＹＮＣ又は垂直同期信号ＶＳＹＮＣをロジック回路３５Ｂ及び制御信号受信部４４に出力する。また、多値信号検出器３４Ａは、第２の実施形態と同様に、制御信号ＤＥを発生してロジック回路３５Ｂ及び制御信号受信部４４に出力する。ロジック回路３５Ｂは、水平同期信号ＨＳＹＮＣ及び垂直同期信号ＶＳＹＮＣに基づいて、垂直ブランキング期間３００ｂであるか、もしくは垂直ブランキング期間３００ｂ以外の期間３００ａであるかを判断し、当該判断結果に応じて、受信信号のうち、垂直ブランキング期間３００ｂでは多値数２ａの多値信号をａ×１ビットの非映像信号に復調し、垂直ブランキング期間３００ｂ以外の期間３００ａでは多値数２ａＮの多値信号をａ×Ｎビットの映像信号に復調し、当該復調されたａ×１ビットの非映像信号及び当該復調されたａ×Ｎビットの映像信号を、映像信号受信部３７及び非映像信号受信部３８に出力する。
【００５３】
以上のように構成された、送信装置１Ｂ、伝送線路２及び受信装置３Ｂを備えた伝送システムの作用効果について以下に説明する。
【００５４】
本実施形態に係る送信装置１Ｂにおいて、水平同期信号ＨＳＹＮＣと垂直同期信号ＶＳＹＮＣと制御信号ＤＥとに基づいて、非映像信号のうちの一部のみを多値数が小さい多値信号で送信する垂直ブランキング期間３００ｂと、それ以外の期間３００ａとを指定する切替信号ＣＤを切替信号発生部４１により発生し、当該切替信号ＣＤに基づいて、非映像信号を、上記垂直ブランキング期間３００ｂと、それ以外の期間３００ａとに区分して、多値数を異ならせて送信することを特徴としている。従って、上記期間３００ａでは、非映像信号を、多値数２ａＮの多値信号を送信して基本周波数をそのままに多値数の大きい多値信号を用いて伝送できるとともに、垂直ブランキング期間３００ｂでは、非映像信号を多値数２ａの多値信号を送信するので、従来の伝送システムに比較して、伝送システムの低消費電力化、送受信装置の発熱の抑制が可能となる。
【００５５】
また、本実施形態に係る伝送システムによれば、第２の実施形態と同様に、ａ枚のフレームの映像信号及び非映像信号を重畳してビット単位でのデータ処理が可能となるので、図１のフレームフォーマットをそのままにして、一度に複数のフレームの映像信号及び非映像信号を同時に送受信することが可能となる。また、ＦｕｌｌＨＤ伝送時において、多値数２４Ｎの多値信号を用いて送信信号を送信すれば、同じフレームフォーマットでかつ同じ伝送レートで４Ｋ２Ｋの伝送が可能となる。
【００５６】
さらに、本実施形態に係る伝送システムによれば、比較回路３２Ａから出力された出力信号に基づいて、制御信号ＤＥ、垂直同期信号ＶＳＹＮＣ及び水平同期信号ＨＳＹＮＣを検出することができるので、例えば、これらの信号を参照すれば２値伝送できる期間を任意に設定することができるので、従来技術の２値伝送におけるブランキング期間の削減手法を容易に適用することが可能となる。またさらに、キャパシタ４２及び４５を挿入して、しきい値レベルの中心レベルをフローティング状態にすることにより安定したグランドレベルとしたので、センターレベルの判別を高精度かつ容易に行うことが可能となる。
【００５７】
以上の実施形態において、カップリングキャパシタ４２及び４５を挿入した場合について説明したが、本開示はこれに限らず、これらカップリングキャパシタ４２及び４５を挿入せず、送信信号を直流結合状態で伝送してもよい。
【００５８】
第４の実施形態．
図６Ａは、本開示の第４の実施形態に係る多値振幅変調方式を用いた伝送システムの送信装置１Ｄの構成を示すブロック図である。図６Ａに示す送信装置１Ｃは、図５Ａに示す送信装置１Ｂに比較して、以下の点が異なる。
（１）送信ドライバ回路１６の代わりに、図６Ａの差動送信ドライバ回路１６Ｃを備える。
（２）カップリングキャパシタ４２の代わりに、図６Ａのキャパシタ回路４６を備える。ここで、キャパシタ回路４６は、カップリングキャパシタ４６ａ及びカップリングキャパシタ４６ｂを備えて構成される。
（３）伝送線路２の代わりに、図６Ａの差動伝送線路２００を備える。
【００５９】
図６Ａにおいて、差動送信ドライバ回路１６Ｃは、加算器１５から出力された加算結果の信号を、当該加算結果の信号の振幅レベルを変化することなく緩衝増幅し、当該加算結果の信号をカップリングキャパシタ４６ａ、４６ｂを介して送信信号として差動伝送線路２００に出力する。
【００６０】
図６Ｂは、本開示の第４の実施形態に係る多値振幅変調方式を用いた伝送システムの受信装置３Ｃの構成を示すブロック図である。図６Ｂに示す受信装置３Ｃは、図５Ｂに示す送信装置３Ｂに比較して、以下の点が異なる。
（１）多値レシーバ回路３１Ａの代わりに、図６Ｂの差動多値レシーバ回路３１Ｃを備える。
（２）キャパシタ４５の代わりに、図６Ｂのキャパシタ回路４７を備える。ここで、キャパシタ回路４７は、カップリングキャパシタ４７ａ及びカップリングキャパシタ４７ｂを備えて構成される。
【００６１】
図６Ｂにおいて、差動多値レシーバ回路３１Ｃは、差動伝送線路２００から受信された送信信号をキャパシタ回路４７を介して受信しかつ送信信号の振幅レベルを変化することなく緩衝増幅して受信信号として各比較器３２−１、…、３２−（２ａＮ−１）、…、３２−（２ａＮ−１）に出力する。
【００６２】
以上のように構成された、送信装置１Ｃ、伝送線路２００及び受信装置３Ｃを備えた伝送システムの作用効果について以下に説明する。
【００６３】
本実施形態に係る伝送システムは、差動送信ドライバ回路１６Ｃ及び差動多値レシーバ回路３１Ｃを備えたので、映像信号及び非映像信号を差動伝送方式で伝送することができ、より高速送信の容易化、低ノイズ化、高ノイズ耐性が可能となる。
【００６４】
以上の実施形態において、キャパシタ回路４６及び４７を挿入した場合について説明したが、本開示はこれに限らず、これらキャパシタ回路４６及び４７を挿入せず、送信信号を直流結合状態で伝送してもよい。
【００６５】
以上の実施形態において、図２Ｃ、図３Ｂ、図５Ｂ、図６Ｂにおいては、比較回路３２，３２Ａは所定の基準電圧であって受信装置３，３Ａ，３Ｂ，３Ｃにおいて発生した複数のしきい値レベルを用いて比較しているが、本開示はこれに限らず、多値信号検出器３４，３４Ａにおいて発生した制御信号ＤＥに基づいてアクティブ期間以外の受信した非映像信号の複数の電圧レベルを検出してそれを上記複数のしきい値レベルとして用いてもよい。
【００６６】
第１の実施形態の変形例．
図７は本開示の変形例に係る送信装置の４値変換された非映像信号及び８値変換された映像信号の送信信号の伝送波形図である。図７に示すような送信信号の伝送波形図を送信する送信装置は、第１の実施形態に係る図２Ａの送信装置１に比較して、以下の点が異なる。
（１）アクティブ期間において送信する映像信号を４つの電位レベル＋１．５Ｖ、＋０．５Ｖ、−０．５Ｖ及び−１．５Ｖの電位レベルのいずれかの電位レベルを有する４値信号で送信する代わりに、８つの電位レベル＋３．５Ｖ、＋２．５Ｖ、＋１．５Ｖ、＋０．５Ｖ、−０．５Ｖ、−１．５Ｖ、−２．５Ｖ及び−３．５Ｖのいずれかの電位レベルを有する８値信号で送信することを特徴としている。従って、８値信号の電位レベルの判別を行うためのしきい値レベルＶ１１、Ｖ１２、Ｖ１３、Ｖ１４、Ｖ１５、Ｖ１６及びＶ１７は、４値信号の電位レベルの判別を行うためのしきい値レベルＶ１、Ｖ２、Ｖ３よりも４つだけ増加して設定される。
（２）ブランキング期間において送信する非映像信号を２つの電位レベル＋１．０Ｖ及び−１．０Ｖのいずれかの電位レベルを有する２値信号で送信する代わりに、４つの電位レベル±３．０Ｖ、±１．０Ｖのいずれかの電位レベルを有する４値信号と、４つの電位レベル±２．０Ｖ、±１．０Ｖのいずれかの電位レベルを有する４値信号とを交互に送信することを特徴としている。これによって、（１）に示すしきい値レベルＶ１１、Ｖ１２、Ｖ１３、Ｖ１４、Ｖ１５、Ｖ１６及びＶ１７を、しきい値レベルＶ１４＝０Ｖを除き、ブランキング期間に送信される非映像信号の信号レベル±３．０Ｖ、±２．０Ｖ、±１．０Ｖと同一となるように設定することが可能となる。
【００６７】
従って、以上の変形例に係る送信装置は、第１の実施形態に係る送信装置１に比較して、以下の構成を備えることを特徴としている。
（１）１ビットの非映像信号を発生する非映像信号発生部１１の代わりに、複数ビットの非映像信号を発生する非映像信号発生部を備える。
（２）ブランキング期間に送信する非映像信号を、４つの電位レベル±３．０Ｖ、±１．０Ｖのいずれかの電位レベルを有する４値信号に変換するか、もしくは４つの電位レベル±２．０Ｖ、±１．０Ｖのいずれかの電位レベルを有する４値信号に変換するかのいずれかに切り替えるための制御部を備える。
【００６８】
なお、その他の構成は第１の実施形態と同様であって、以上の変形例に係る作用効果は、第１の実施形態に係る作用効果と同様である。
【００６９】
また、上述した変形例では、ブランキング期間では４値信号を送信信号として送信し、アクティブ期間では８値信号を送信信号として送信したが、第３の実施形態に係る図４に示すように、垂直ブランキング期間３００ｂでは４値信号を送信信号として送信し、垂直ブランキング期間３００ｂ以外の期間３００ａでは８値信号を送信信号として送信しても構わない。この場合においては、第３の実施形態に係る作用効果と同様である。
【００７０】
変形例．
以上のように構成された上述の伝送システムにおいては、自然数ａ×１ビットの非映像信号を、多値数２ａに変換した多値信号を送信信号として送信する伝送システムについて説明した。しかしながら、本開示は上述した実施形態に限定されず、たとえば上述した実施形態の変形例として、自然数Ｍビットの非映像信号を送信する伝送システム、すなわち、ａ×Ｍビットの非映像信号を多値数２ａＭに変換された多値信号を送信信号として送信する伝送システムにも適用することができる。なお、上述した実施形態及び変形例においては、映像フォーマットが変更されない映像伝送であって、上述した自然数ａ，Ｎ，Ｍは一定である。
【００７１】
以上説明したように、第１の態様に係る送信装置は、
自然数ａ×自然数Ｍビットの非映像信号と、ａ×自然数Ｎビットの映像信号とをそれぞれ、映像データを含むアクティブ期間、もしくは上記映像データ以外のデータを含むブランキング期間において、２値以上の多値数に変換された多値信号を送信信号として送信する送信装置であって、
上記非映像信号を多値数２ａＭの多値信号に変換して出力する第１の多値信号発生器と、
上記映像信号を多値数２ａＮの多値信号に変換して出力する第２の多値信号発生器と、
上記多値数２ａＭの多値信号と上記多値数２ａＮの多値信号とを、送信信号として送信する送信ドライバ回路とを備え、
上記非映像信号の多値数２ａＭは上記映像信号の多値数２ａＮよりも小さいように設定されたことを特徴とする。
【００７２】
第１の態様に係る送信装置によれば、アクティブ期間では多値数２ａＮの多値信号を送信して基本周波数をそのままに大きい多値信号を用いて伝送できるとともに、ブランキング期間では多値数２ａＭの多値信号を送信するので、従来の伝送システムに比較して、伝送システムの低消費電力化、送受信装置の発熱の抑制が可能となる。また、複数のフレームの映像信号及び非映像信号を重畳してビット単位でのデータ処理が可能となるので、図１のフレームフォーマットをそのままにして、一度に複数のフレームの映像信号及び非映像信号を同時に送受信することが可能となる。さらに、ＦｕｌｌＨＤ伝送時において、送信信号として多値数２４Ｎの多値信号を送信すれば、同じフレームフォーマットでかつ同じ伝送レートで４Ｋ２Ｋの伝送が可能となる。
【００７３】
第２の態様に係る送信装置は、第１の態様に係る送信装置において、
ブランキング期間又はアクティブ期間のいずれかであることを示す制御信号を発生して出力する制御信号発生部をさらに備えたことを特徴とする。
【００７４】
第２の態様に係る送信装置によれば、アクティブ期間では多値数２ａＮの多値信号を送信して基本周波数をそのままに大きい多値信号を用いて伝送できるとともに、ブランキング期間では多値数２ａＭの多値信号を送信するので、従来の伝送システムに比較して、伝送システムの低消費電力化、送受信装置の発熱の抑制が可能となる。
【００７５】
第３の態様に係る送信装置は、第１の態様に係る送信装置において、
上記ブランキング期間における上記送信信号の各電位レベルは、上記アクティブ期間における上記送信信号の各電位レベルを判別する各しきい値レベルと同一となるように設定されることを特徴とする。
【００７６】
第３の態様に係る送信装置によれば、送信装置がブランキング期間の送信信号の電位レベルをアクティブ期間の送信信号の電位レベルを判別するしきい値レベルと同一となるように設定したので、送受信装置間での電圧レベル、基準電圧の違い、温度変化、伝送線路における損失などが原因で変動する多値信号の電位レベルに対して的確に追従し、多値信号の電位レベルを高精度に判定することができるので、アクティブ期間での多値信号のデータ受信を正確に行うことが可能となる。
【００７７】
第４の態様に係る送信装置は、第２又は第３の態様に係る送信装置において、
上記送信装置は、上記制御信号に基づいて、上記ブランキング期間では上記非映像信号を多値数２ａＭの多値信号で送信し、上記アクティブ期間では上記映像信号を多値数２ａＮの多値信号で送信することを特徴とする。
【００７８】
第４の態様に係る送信装置によれば、アクティブ期間では多値数２ａＮの多値信号を送信して基本周波数をそのままに大きい多値信号を用いて伝送できるとともに、ブランキング期間では多値数２ａＭの多値信号を送信するので、従来の伝送システムに比較して、伝送システムの低消費電力化、送受信装置の発熱の抑制が可能となる。
【００７９】
第５の態様に係る送信装置は、第２又は第３の態様に係る送信装置において、
上記制御信号発生部はさらに水平同期信号及び垂直同期信号を発生し、
上記水平同期信号及び上記垂直同期信号に基づいて、垂直ブランキング期間であるか、もしくは上記垂直ブランキング期間以外の期間であるかを示す切替信号を生成して出力する切替信号発生部を備え、
上記送信装置は、上記切替信号に基づいて、上記非映像信号を、上記垂直ブランキング期間では多値数２ａＭの多値信号で送信し、上記垂直ブランキング期間以外の期間では多値数２ａＮの多値信号で送信し、上記映像信号を上記アクティブ期間では上記映像信号を多値数２ａＮの多値信号で送信することを特徴とする。
【００８０】
すなわち、送信装置の送信ドライバ回路は、多値数２ａＭの多値信号をブランキング期間の少なくとも一部の期間に送信し、多値数２ａＮの多値信号をアクティブ期間に送信する。
【００８１】
第５の態様に係る送信装置によれば、垂直ブランキング期間以外では、非映像信号を、多値数２ａＮの多値信号を送信して基本周波数をそのままに多値数の大きい多値信号を用いて伝送できるとともに、垂直ブランキング期間では、非映像信号を多値数２ａＭの多値信号を送信するので、従来技術のブランキング期間の削減手法を容易に適用することが可能となる。
【００８２】
第６の態様に係る送信装置は、第１〜５のうちのいずれか１つの態様に係る送信装置において、
上記送信信号の直流成分をカットするカップリングキャパシタをさらに備えたことを特徴とする。
【００８３】
第６の態様に係る送信装置によれば、しきい値レベルの中心レベルをフローティング状態にすることにより安定したグランドレベルとしたので、センターレベルの判別を高精度かつ容易に行うことが可能となる。
【００８４】
第７の態様に係る送信装置は、第１〜６のうちのいずれか１つの態様に係る送信装置において、
上記送信ドライバ回路は差動の送信ドライバ回路であることを特徴とする。
【００８５】
第７の態様に係る送信装置によれば、映像信号及び非映像信号を差動伝送方式で伝送することができるので、より高速送信の容易化、低ノイズ化、高ノイズ耐性が可能となる。
【００８６】
第８の態様に係る受信装置は、
自然数ａ×自然数Ｍビットの非映像信号と、ａ×自然数Ｎビットの映像信号とをそれぞれ、映像データを含むアクティブ期間、もしくは上記映像データ以外のデータを含むブランキング期間において、２値以上の多値数に変換された多値信号である送信信号を受信する受信装置であって、
上記送信信号を受信信号として受信して出力する多値レシーバ回路と、
上記受信信号の電位レベルから多値数２ａＭの多値信号であるか、多値数２ａＮの多値信号であるかを判定して、判定結果を示す制御信号を発生する多値信号検出器と、
上記受信信号の電位レベルと上記制御信号とに基づいて、上記受信信号の多値数２ａＭの多値信号と多値数２ａＮの多値信号とをそれぞれ、ａ×Ｍビットの非映像信号とａ×Ｎビットの映像信号に復調して出力するロジック回路とを備え、
上記非映像信号の多値数２ａＭは上記映像信号の多値数２ａＮよりも小さいように設定されたことを特徴とする。
【００８７】
第８の態様に係る受信装置によれば、アクティブ期間とブランキング期間との判定を送信信号の多値数のみで判定することができるので、従来の伝送システムに比較して、復調回路を削減することが可能となる。
【００８８】
第９の態様に係る受信装置は、第８の態様に係る受信装置において、
上記ロジック回路は、上記制御信号に基づいて、上記ブランキング期間では、上記受信信号のうち多値数２ａＭの多値信号をａ×Ｍビットの非映像信号に復調し、上記アクティブ期間では上記受信信号のうち多値数２ａＮの多値信号をａ×Ｎビットの映像信号に復調することを特徴とする。
【００８９】
第９の態様に係る受信装置によれば、アクティブ期間では多値数２ａＮの多値信号を受信し、ブランキング期間では多値数２ａＭの多値信号を受信できるので、従来の伝送システムに比較して、伝送システムの低消費電力化、送受信装置の発熱の抑制が可能となる。
【００９０】
第１０の態様に係る受信装置は、第８の態様に係る受信装置において、
上記受信信号の電位レベルに基づいて、水平同期信号の信号パターン及び垂直同期信号の信号パターンを含むか否かを判断することにより、上記水平同期信号又は上記垂直同期信号を検出して上記ロジック回路に出力する同期信号検出器をさらに備え、
上記ロジック回路は、上記水平同期信号及び上記垂直同期信号に基づいて、垂直ブランキング期間であるか、もしくは上記垂直ブランキング期間以外の期間であるかに応じて、上記受信信号のうち、上記垂直ブランキング期間では多値数２ａＭの多値信号をａ×Ｍビットの非映像信号に復調し、上記垂直ブランキング期間以外の期間では多値数２ａＮの多値信号をａ×Ｎビットの映像信号に復調することを特徴とする。
【００９１】
第１０の態様に係る受信装置によれば、受信信号のうち、垂直ブランキング期間では多値数２ａＭの多値信号をａ×Ｍビットの非映像信号に復調し、垂直ブランキング期間以外の期間では多値数２ａＮの多値信号をａ×Ｎビットの映像信号に復調することができるので、従来技術のブランキング期間の削減手法を容易に適用することが可能となる。
【００９２】
第１１の態様に係る受信装置は、第８の態様に係る受信装置において、第８〜１０のうちのいずれか１つの態様に係る受信装置において、
上記受信信号の直流成分をカットするカップリングキャパシタをさらに備えたことを特徴とする。
【００９３】
第１１の態様に係る受信装置によれば、しきい値レベルの中心レベルをフローティング状態にすることにより安定したグランドレベルとしたので、センターレベルの判別を高精度かつ容易に行うことが可能となる。
【００９４】
第１２の態様に係る受信装置は、第８〜１１のうちのいずれか１つの態様に係る受信装置において、
上記多値レシーバ回路は差動の多値レシーバ回路であることを特徴とする。
【００９５】
第１２の態様に係る受信装置によれば、映像信号及び非映像信号を差動伝送方式で伝送することができるので、より高速送信の容易化、低ノイズ化、高ノイズ耐性が可能となる。
【００９６】
第１３の態様に係る伝送システムは、第１の態様に係る送信装置と、第８の態様に係る受信装置を備えたことを特徴とする。
【００９７】
第１３の態様に係る伝送システムによれば、アクティブ期間では多値数２ａＮの多値信号を送信して基本周波数をそのままに大きい多値信号を用いて伝送できるとともに、ブランキング期間では多値数２ａＭの多値信号を送信するので、従来の伝送システムに比較して、伝送システムの低消費電力化、送受信装置の発熱の抑制が可能となる。また、複数のフレームの映像信号及び非映像信号を重畳してビット単位でのデータ処理が可能となるので、図１のフレームフォーマットをそのままにして、一度に複数のフレームの映像信号及び非映像信号を同時に送受信することが可能となる。さらに、ＦｕｌｌＨＤ伝送時において、送信信号として多値数２４Ｎの多値信号を用いて送信すれば、同じフレームフォーマットでかつ同じ伝送レートで４Ｋ２Ｋの伝送が可能となる。またさらに、アクティブ期間とブランキング期間との判定を送信信号の多値数のみで判定することができるので、従来の伝送システムに比較して、復調回路を削減することが可能となる。
【産業上の利用可能性】
【００９８】
以上詳述したように、本開示に係る送信装置、受信装置、伝送システムによれば、アクティブ期間では送信信号の多値数を大きくして基本周波数をそのままに多値信号で伝送する一方で、ブランキング期間ではアクティブ期間での多値数よりも小さい多値数の多値信号で伝送するので、伝送システムの低消費電力化及び送受信装置の発熱の抑制が可能となる。
【符号の説明】
【００９９】
１，１Ａ，１Ｂ，１Ｃ…送信装置、
２，２００…伝送線路、
３，３Ａ，３Ｂ，３Ｃ…受信装置、
１１…非映像信号発生部、
１２…映像信号発生部、
１３…セレクタ、
１４，４０…制御信号発生部、
１５…加算器、
１６…送信ドライバ回路、
１６Ｃ…差動送信ドライバ回路、
１７…２値信号発生器、
１７Ａ，１８…多値信号発生器、
３１…多値レシーバ回路、
３１Ｃ…差動多値レシーバ回路、
３２，３２Ａ…比較回路、
３２−１，３２−２，３２−３，３２−（２ａＮ−１），３２−（２ａＮ−１）…比較器、
３３，３３Ａ…バッファメモリ回路、
３３−１，３３−２，３３−３，３３−（２ａＮ−１），３３−（２ａＮ−１）…バッファメモリ、
３４，３４Ａ…多値信号検出器、
３５，３５Ａ，３５Ｂ…ロジック回路、
３６，４４…制御信号受信部、
３７…映像信号受信部、
３８…非映像信号受信部、
３９，３９Ａ…電圧検出及び制御装置、
４１…切替信号発生部、
４２，４５，４６ａ，４６ｂ，４７ａ，４７ｂ…カップリングキャパシタ、
４３…同期信号検出器
４６，４７…キャパシタ回路、
５０…スイッチング回路、
１００…アクティブ期間
３００ａ…垂直ブランキング期間３００ｂ以外の期間、
３００ｂ…垂直ブランキング期間。
【図１Ａ】
2014045502.tif 000003
【図１Ｂ】
2014045502.tif 000004
【図１Ｃ】
2014045502.tif 000005
【図２Ａ】
2014045502.tif 000006
【図２Ｂ】
2014045502.tif 000007
【図２Ｃ】
2014045502.tif 000008
【図２Ｄ】
2014045502.tif 000009
【図２Ｅ】
2014045502.tif 000010
【図３Ａ】
2014045502.tif 000011
【図３Ｂ】
2014045502.tif 000012
【図３Ｃ】
2014045502.tif 000013
【図４】
2014045502.tif 000014
【図５Ａ】
2014045502.tif 000015
【図５Ｂ】
2014045502.tif 000016
【図６Ａ】
2014045502.tif 000017
【図６Ｂ】
2014045502.tif 000018
【図７】
2014045502.tif 000019
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
自然数ａ×自然数Ｍビットの映像信号以外の非映像信号を多値数２ａＭの多値信号に変換して出力する第１の多値信号発生器と、
自然数ａ×自然数Ｎビットの上記映像信号を上記多値数２ａＭよりも大きい多値数２ａＮの多値信号に変換して出力する第２の多値信号発生器と、
上記多値数２ａＭの多値信号をブランキング期間の少なくとも一部の期間に送信し、上記多値数２ａＮの多値信号をアクティブ期間に送信する送信ドライバ回路とを備えた送信装置。
【請求項２】
映像フォーマットが変更されない映像伝送において、上記自然数ａ、Ｎ、Ｍが一定である請求項１記載の送信装置。
【請求項３】
ブランキング期間又はアクティブ期間のいずれかであることを示す制御信号を発生して出力する制御信号発生部をさらに備えた請求項１又は２記載の送信装置。
【請求項４】
上記送信装置は、上記制御信号に基づいて、上記ブランキング期間では上記非映像信号を多値数２ａＭの多値信号で送信し、上記アクティブ期間では上記映像信号を多値数２ａＮの多値信号で送信する請求項３記載の送信装置。
【請求項５】
上記制御信号発生部はさらに水平同期信号及び垂直同期信号を発生し、
上記送信装置は、上記水平同期信号及び上記垂直同期信号に基づいて、垂直ブランキング期間であるか、もしくは上記垂直ブランキング期間以外の期間であるかを示す切替信号を生成して出力する切替信号発生部を備え、
上記送信装置は、上記切替信号に基づいて、上記非映像信号を、上記垂直ブランキング期間では多値数２ａＭの多値信号で送信し、上記垂直ブランキング期間以外の期間では多値数２ａＮの多値信号で送信し、上記アクティブ期間では上記映像信号を多値数２ａＮの多値信号で送信する請求項３又は４記載の送信装置。
【請求項６】
上記ブランキング期間における送信信号の各電位レベルはそれぞれ、上記アクティブ期間における送信信号の各電位レベルを判別する各しきい値レベルと同一となるように設定される請求項１〜５のうちいずれか１つに記載の送信装置。
【請求項７】
上記送信信号の直流成分をカットするカップリングキャパシタをさらに備えた請求項１〜６のうちのいずれか１つに記載の送信装置。
【請求項８】
上記送信ドライバ回路は差動の送信ドライバ回路である請求項１〜７のうちのいずれか１つに記載の送信装置。
【請求項９】
自然数ａ×自然数Ｍビットの映像信号以外の非映像信号が多値数２ａＭの多値信号に変換されて送信された送信信号をブランキング期間に受信し、自然数ａ×自然数Ｎビットの上記映像信号が上記多値数２ａＭよりも大きい多値数２ａＮの多値信号に変換されて送信された送信信号をアクティブ期間に受信し、受信した信号を受信信号として出力する多値レシーバ回路と、
上記受信信号の電位レベルから、上記受信信号が上記多値数２ａＭの多値信号であるか上記多値数２ａＮの多値信号であるかを判定し、判定結果を示す制御信号を発生する多値信号検出器と、
上記受信信号の電位レベルと上記制御信号とに基づいて、上記多値数２ａＭの多値信号と上記多値数２ａＮの多値信号とをそれぞれ、ａ×Ｍビットの上記非映像信号とａ×Ｎビットの上記映像信号に復調して出力するロジック回路とを備えた受信装置。
【請求項１０】
映像フォーマットが変更されない映像伝送において、上記自然数ａ、Ｎ、Ｍが一定である請求項９記載の受信装置。
【請求項１１】
上記ロジック回路は、上記制御信号に基づいて、上記ブランキング期間では、上記受信信号のうち多値数２ａＭの多値信号をａ×Ｍビットの非映像信号に復調し、上記アクティブ期間では上記受信信号のうち多値数２ａＮの多値信号をａ×Ｎビットの映像信号に復調する請求項９又は１０記載の受信装置。
【請求項１２】
上記受信信号の電位レベルに基づいて、水平同期信号の信号パターン及び垂直同期信号の信号パターンを含むか否かを判断することにより、上記水平同期信号又は上記垂直同期信号を検出して上記ロジック回路に出力する同期信号検出器をさらに備え、
上記ロジック回路は、上記水平同期信号及び上記垂直同期信号に基づいて、垂直ブランキング期間であるか、もしくは上記垂直ブランキング期間以外の期間であるかを判断し、当該判断結果に応じて、上記受信信号のうち、上記垂直ブランキング期間では多値数２ａＭの多値信号をａ×Ｍビットの前記非映像信号に復調し、上記垂直ブランキング期間以外の期間では多値数２ａＮの多値信号をａ×Ｎビットの前記映像信号に復調することを特徴とする請求項９又は１０記載の受信装置。
【請求項１３】
上記受信信号の直流成分をカットするカップリングキャパシタをさらに備えたことを特徴とする請求項９〜１２のうちのいずれか１つに記載の受信装置。
【請求項１４】
上記多値レシーバ回路は差動の多値レシーバ回路である請求項９〜１３のうちのいずれか１つに記載の受信装置。
【請求項１５】
請求項１記載の送信装置と請求項９記載の受信装置を備えた伝送システム。
【手続補正２】
【補正対象書類名】明細書
【補正対象項目名】００２２
【補正方法】変更
【補正の内容】
【００２２】
図２Ｃにおいて、多値レシーバ回路３１は、伝送線路２から送信信号を受信しかつ送信信号の振幅レベルを変化することなく緩衝増幅して受信信号として各比較器３２−１、３２−２、３２−３に出力する。各比較器３２−１、３２−２、３２−３は、多値レシーバ回路３１からの受信信号を入力し、受信信号の電位レベルを各比較器３２−１、３２−２、３２−３のしきい値レベル＋１．０Ｖ、０Ｖ、−１．０Ｖと比較し、各比較結果の信号をバッファメモリ３３−１、３３−２、３３−３に出力する。各バッファメモリ３３−１、３３−２、３３−３は、比較器３２−１、３２−２、３２−３から入力された各比較結果の信号を一時的に保存して、各比較結果の信号をロジック回路３５に出力する。また、各バッファメモリ３３−１、３３−２、３３−３は、各比較器３２−１、３２−２、３２−３から入力された比較結果の信号のうちバッファメモリ３３−１、３３−３に保存された信号のみを多値信号検出器３４に出力する。
【手続補正３】
【補正対象書類名】明細書
【補正対象項目名】００４５
【補正方法】変更
【補正の内容】
【００４５】
図３Ｃにおいて、電圧検出及び制御装置３９Ａは、多値レシーバ回路３１からの受信信号を受信して、受信信号の電位レベルから多値数２ａの多値信号であるか多値数２ａＮの多値信号であるかを判定して、判定結果を示す制御信号ＤＥを発生してロジック回路３５Ａ及び制御信号受信部３６に出力する。また、電圧検出及び制御装置３９Ａは、多値レシーバ回路３１から多値数２ａの多値信号を受信するとき、受信信号の電位レベルから、第１の検出電圧、第２の検出電圧、…、第２ａの検出電圧を検出する。さらに、電圧検出及び制御装置３９Ａは、多値レシーバ回路３１から多値数２ａＮの多値信号を検出するとき、第１の検出電圧、第２の検出電圧、…、第２ａの検出電圧のそれぞれ示すしきい値レベル設定信号ＲＳを発生させて、当該第１の検出電圧、第２の検出電圧、…、第２ａの検出電圧に対応する可変抵抗ＶＲ１、…、ＶＲ（２ａＮ−１）を変化させることによって、各比較器３２−１、…、３２−（２ａＮ−１）、…、３２−（２ａＮ−１）の反転入力端子に印加される電圧を第１の検出電圧、第２の検出電圧、…、第２ａの検出電圧となるようにそれぞれ設定する。
【手続補正４】
【補正対象書類名】明細書
【補正対象項目名】００４８
【補正方法】変更
【補正の内容】
【００４８】
図５Ａは、本開示の第３の実施形態に係る多値振幅変調方式を用いた伝送システムの送信装置１Ｂの構成を示すブロック図である。図５Ａに示す送信装置１Ｂは、図３Ａに示す第２の実施形態に係る送信装置１Ａに比較して、以下の点が異なる。
（１）制御信号発生部１４の代わりに、図５Ａの制御信号発生部４０を備える。
（２）切替信号発生部４１、図５Ａのカップリングキャパシタ４２及びスイッチング回路５０をさらに備える。ここで、スイッチング回路５０は、スイッチＳＷ１とスイッチＳＷ２とを備えて構成される。また、カップリングキャパシタ４２は、送信ドライバ回路１６と伝送線路２との間に直流成分をカットするために設けられる。
【手続補正５】
【補正対象書類名】明細書
【補正対象項目名】００９２
【補正方法】変更
【補正の内容】
【００９２】
第１１の態様に係る受信装置は、第８〜１０のうちのいずれか１つの態様に係る受信装置において、
上記受信信号の直流成分をカットするカップリングキャパシタをさらに備えたことを特徴とする。
【国際調査報告】
2014045502.tif 000020
2014045502.tif 000021
2014045502.tif 000022
2014045502.tif 000023